(57)【要約】【課題】本発明は、導波管がフェルールに精確に対応する安価な導波管コネクタ及び導波管コネクタアッセンブリを提供することを目的とする。【解決手段】本発明の導波管コネクタは、フェルールと、導波管と、を備える。前記フェルールは、前端面と、後端面と、前記前端面において開口した前チャネルと、前記後端面において開口し、前記前チャネルに連通する後チャネルと、を備える。前記導波管は、前記前端面に露出され、光信号を伝送するための複数のインダクターと、複数のインダクターを被覆する被覆部と、を有し、前記後チャネルから前記前チャネルに亘って収納されている。前記前チャネルの高さが、前記後チャネルの高さより低い。前記被覆部の前端部が断面矩形状に形成されて四つの外壁面を有する。前記前チャネルが断面矩形状に形成されて四つの内壁面を有する。前記被覆部の四つの外壁面が前記前チャネルの四つの内壁面に規制される。【選択図】図１２
2012123386.tif 000002
【特許請求の範囲】
【請求項１】
前端面と、後端面と、前記前端面において開口した前チャネルと、前記後端面において開口し、前記前チャネルに連通する後チャネルと、を備えるフェルールと、
前記前端面に露出され、光信号を伝送するための複数のインダクターと、複数のインダクターを被覆する被覆部と、を有し、前記後チャネルから前記前チャネルに亘って収納された導波管と、
を備え、前記前チャネルの高さが、前記後チャネルの高さより低く、前記被覆部の前端部が断面矩形状に形成されて四つの外壁面を有し、前記前チャネルが断面矩形状に形成されて四つの内壁面を有し、前記四つの外壁面が前記内壁面に規制されることを特徴とする導波管コネクタ。
【請求項２】
前記被覆部と前記後チャネルとの間にはギャップが形成され、前記フェルールが、一体に成形され、上表面と下表面とを有し、前記前チャネルと後チャネルとが前記フェルールの前記上表面と下表面との間に形成されることを特徴とする請求項１に記載の導波管コネクタ。
【請求項３】
前記フェルールには、前記前端面において開口し、前記後チャネルと連通し、前記前チャネルと平行すると共に隔壁を介して隔てられた他の前チャネルが形成され、
前記前端面に露出され、光信号を伝送するための複数のインダクターと、複数のインダクターを被覆する被覆部と、を有し、前記後チャネルから前記他の前チャネルに亘って収納された他の導波管をさらに備え、
前記導波管と前記他の導波管とは、前端部分が前記隔壁を介して隔離されており、前記後チャネル内において重ね合わされていることを特徴とする請求項１または２に記載の導波管コネクタ。
【請求項４】
前記導波管コネクタは、前記フェルールを部分に装着する内装体と、前記内装体の外に取り付けられる移動可能な外装体と、前記内装体と係合する外部シェルと、を備えることを特徴とする請求項１から３のいずれか一項に記載の導波管コネクタ。
【請求項５】
前記内装体が、前記フェルールを収納する主体部と、前記主体部から前向きに延在する一対の係合ビームと、前記主体部から後向きに延在し、前記外部シェルと係合する一対の係止ビームと、を備え、前記係止ビームの末端には前記外シェルと係合する鉤部が設けられることを特徴とする請求項４に記載の導波管コネクタ。
【請求項６】
前記主体部が頂壁と、底壁と、一対の側壁と、を有し、前記一対の係合ビームがそれぞれ前記頂壁及び前記底壁と一体に形成され、前記一対の係止ビームが前記一対の側壁と一体に形成されることを特徴とすることを特徴とする請求項５に記載の導波管コネクタ。
【請求項７】
前記導波管コネクタが前記外装体に当接する一対の第１バネ体を有し、前記係止ビームには、前記第１バネ体を収納するための収納溝が形成されることを特徴とする請求項５又は６に記載の導波管コネクタ。
【請求項８】
前記各係合ビームの前端部は、前記外装体の前端よりも前方に突出しており、前記各係合ビームの前端部には係合鉤が設けられ、前記各係合ビームには、ガイド面を有する突出部片を有し、前記外装体が、前記内装体に対して相対的に後向きに移動すると、前記ガイド面に前記外装体が当接し、前記一対の係合ビームが弾性変形することを特徴とする請求項５から７のいずれか一項に記載の導波管コネクタ。
【発明の詳細な説明】
【技術分野】
【０００１】
本発明は、導波管コネクタに関し、特に、導波管がフェルールに精確に位置決めされる導波管コネクタに関するものである。
【背景技術】
【０００２】
特許文献１に示される導波管コネクタの導波管は、下被覆部と、上被覆部と、前記下被覆部と上被覆部との間に形成される導体とを備える。前記した導体の正確な位置決めを確保することはできない。特許文献２に示される導波管コネクタのフェルールには、導波管を収納するための位置決め溝が形成される。前記位置決め溝には、前記導波管の過度な挿入を阻止するための突出部が形成される。
【先行技術文献】
【特許文献】
【０００３】
【特許文献１】米国特許第６８４７７７３号明細書
【特許文献２】米国特許第７２９５７４３号明細書
【発明の概要】
【発明が解決しようとする課題】
【０００４】
しかしながら、従来の技術に示された、導波管を位置決めするための位置決め溝と突出部とを形成する技術は、製造コストが嵩むという問題がある。
【０００５】
そこで本発明は、上述される従来技術の問題に鑑み、導波管をフェルールに対して精確に位置決めすることができ、且つ安価に製造することができる導波管コネクタを提供することを目的とする。
【課題を解決するための手段】
【０００６】
前記目的を達成するために、本発明の導波管コネクタは、フェルールと、導波管と、を備える。前記フェルールは、前端面と、後端面と、前記前端面を貫通する前チャネルと、前記後端面を貫通して前記前チャネルに連通する後チャネルと、を備える。前記導波管は、前記前端面に露出され、光信号を伝送するための複数のインダクターと、複数のインダクターを被覆し、後端が前記後チャネルに収納される被覆部と、を有する。前記前チャネルの高さが、前記後チャネルの高さより低い。前記被覆部の前端の断面形状が矩形になる。前記被覆部が四つの外壁を有する。前記前チャネルが四つの内壁を有する。前記被覆部の四つの外壁が前記前チャネルの四つの内壁に規制される。
【発明の効果】
【０００７】
従来技術と比べると、本発明は以下の長所を有する。本発明の導波管コネクタの導波管の被覆部の四つの外壁が前記フェルールの前チャネルの四つの内壁に規制される。これにより、導波管コネクタの導波管は、フェルールに精確に位置決めされる。このような導波管コネクタの製造コストは、安価である。
【図面の簡単な説明】
【０００８】
【図１】本発明の導波管コネクタが回路基板と子板の導波管とに連結された導波管コネクタアッセンブリの組立斜視図である。
【図２】図１に示す導波管コネクタアッセンブリの別の視点からの組立斜視図である。
【図３】図２に示す導波管コネクタアッセンブリの一部分の拡大斜視図である。
【図４】図２に示す導波管コネクタアッセンブリからフレームを取り外した状態を示す導波管コネクタアッセンブリの分解斜視図である。
【図５】図１に示す導波管コネクタの斜視図である。
【図６】図５に示す導波管コネクタの別の視点からの斜視図である。
【図７】図５に示す導波管コネクタから外装体を取り外した状態を示す導波管コネクタの分解斜視図である。
【図８】図７に示す内装体の斜視図である。
【図９】図５に示す導波管コネクタを部分的に分解した状態を示す導波管コネクタの分解斜視図である。
【図１０】図９に示す導波管コネクタの分解斜視図である。
【図１１】図１０に示す導波管コネクタを更に分解した状態を示す、別の視点からの導波管コネクタの分解斜視図である。
【図１２】フェルールと導波管の斜視図である。
【図１３】導波管コネクタの導波管がフェルールに挿入される前の状態を示す破断斜視図である。
【図１４】図５に示すＡ−Ａ間断面の図であって、導波管コネクタの導波管がフェルールに挿入された状態を示す破断斜視図である。
【図１５】外装体が内装体に装着された当初の状態を示す、図５に示すＡ−Ａ間の断面図である。
【図１６】外装体が内装体に対して後向きに移動した状態を示す、図５に示すＡ−Ａ線間の断面図である。
【図１７】図５に示すＢ−Ｂ間断面の図であって、導波管コネクタの破断斜視図である。
【図１８】図１７に示す導波管コネクタの破断図である。
【図１９】一対の導波管コネクタと接合体とが回路基板に装着される前の状態を示した分解斜視図である。
【図２０】図１９に示す一対の導波管コネクタと接合体とが回路基板に装着された状態を示す導波管コネクタアッセンブリの組立斜視図である。
【図２１】図２０に示すＣ−Ｃ間の断面図である。
【図２２】図２０に示すＤ−Ｄ間の断面図である。
【図２３】導波管コネクタの一部分の斜視図であり、導波管コネクタが複数のブラケットによって子板に取り付けられる状態を示す図である。
【図２４】図２３に示すブラケットが子板から取り外された状態を示す、導波管コネクタの一部分の分解斜視図である。
【図２５】図２４に示す導波管コネクタの別の視点からの分解斜視図である。
【発明を実施するための形態】
【０００９】
図１〜図４を参照すると、本発明の導波管コネクタアッセンブリ２００は、角筒状のフレーム３００と、前記フルーム３００の後端（フルーム３００の軸方向の一方側の端部）に取り付けられる回路基板４００と、前記フレーム３００に収納される複数の子板５００と、前記回路基板４００と子板５００と間に信号を伝送するための複数対の導波管コネクタ１００と、を備える。各子板５００には、複数の電子部材５０１が配設される。
【００１０】
図４に示すように、前記フレーム３００は、頂壁３０１と、底壁３０２と、一対の側壁３０３と、前記壁３０１〜３０３によって包囲される収納スペース３０４と、を有する。前記頂壁３０１と底壁３０２とにはそれぞれ、フルーム３００の軸方向に沿って延在する複数のリブ３０５及び複数のスロット３０６が交互に並設されている。複数のリブ３０５は、フルーム３００の幅方向（側壁３０３に対して垂直な方向）に間隔をあけて並設されており、隣り合うリブ３０５の間、及び最も端に配設されたリブ３０５と側壁３０５との間にそれぞれ、スロット３０６が形成される。各頂壁３０１のスロット３０６及び底壁３０２のスロット３０６にはそれぞれ、複数の位置決め部３０７が配置される。位置決め部３０７は、スロット３０６の長さ方向（フルーム３００の軸方向）に沿って延在するロッド状の部材であり、各位置決め部３０７にはそれぞれ、前記子板５００を位置決めするための位置決め溝３０７１が形成される。位置決め溝３０７１は、スロット３０６（位置決め部３０７）の長さ方向に沿って位置決め部３０７の全長に亘って延在すると共に、前記収納スペース３０４に向かって開放された溝である。
【００１１】
図２〜図４に示すように、前記複数の位置決め部３０７をそれぞれ、対応するスロット３０６に挿入する。次に、子板５００を、側壁３０３に平行する向きで収納スペース３０４内に挿入し、頂壁３０１のスロット３０６と底壁３０２のスロット３０６との間に介装させる。このとき、子板５００の上辺は、対応する頂壁３０１のスロット３０６に装入された位置決め部３０７の位置決め溝３０７１に嵌め込まれ、また、子板５００の下辺は底壁３０２のスロット３０６に装入された位置決め部３０７の位置決め溝３０７１に嵌め込まれる。他の実施形態としては、子板５００の上辺及び下辺に位置決め部３０７を予め装着、或いは一体に形成しておき、それらの位置決め部３０をスロット３０６に挿入しながら、子板５００を収納スペース３０４内に挿入してもよい。なお、図４に示すように、各子板５００は、前記回路基板４００に対して垂直に配置される。
【００１２】
図１９〜図２２に示すように、前記回路基板４００には、複数の接合体６００に対応する複数の実装孔４０１が形成される。各接合体６００は、一対の耳部６０１１が設けられた本体６０１と、前記本体６０１から延出する複数の弾性片６０２と、を備える。図２１に示すように、前記弾性片６０２には、本体６０１の外側に突出する一対の係合片６０２１が設けられる。
【００１３】
接合体６００が回路基板４００の実装孔４０１に装着されると、一対の耳部６０１が回路基板４００の前面に接触すると共に、一対の係合片６０２１が、前記回路基板４００の後面に当接する。これにより、接合体６００が、実装孔４０１から外れることを防止できる。
【００１４】
各接合体６００の本体６０１には、対向し、互いに連通する第１挿入溝６０３及び第２挿入溝６０４が形成され、前記本体６０１の前記第１挿入溝６０３の外側に露出される第１階段壁６０５と、前記第２挿入溝６０４の外側に露出される第２階段壁６０６と、を備える。図２２に示すように、一対の導波管コネクタ１００が第１階段溝６０３及び第２階段溝６０４にそれぞれ挿入されると、第１階段壁６０５及び第２階段壁６０６にそれぞれ係合する。図２１に示すように、一対の導波管コネクタ１００は、接合体６００によって接続されて光信号を伝送する。
【００１５】
図５〜図１８に示すように、導波管コネクタ１００は、内装体３１と、前記内装体３１に挿入されるフェルール１と、前記フェルール１に挿入される複数の導波管２と、前記内装体３１を被覆する外装体４と、内装体３の後端に連設された外部シェル５と、外部シェル５に装着される内部シェル６と、を備える。前記フェルール１の前端部が内装体３の前端から突出される。
【００１６】
図１０〜図１４に示すように、フェルール１は、直方体のハウジング１２と、前記ハウジング１２の前端面１２０から突出する突出部１１と、を有する一体に成形された部材である。また、フェルール１は、突出部１１の先端に形成された前端面１１１と、前記前端面１１１の反対側に位置する後端面１１２と、前端面１１１において開口し、上下に並設されていると共に前後方向に沿って並行して延在する一対の前チャネル１１３と、前記後端面１１２において開口して前記前チャネル１１３と連通する後チャネル１１８と、を備える。前記一対の前チャネル１１３は、隔壁１１７で隔てられている。前記一対の前チャネル１１３の高さは、後チャネル１１８の高さより小さい。ハウジング１２は、上表面１２１と、下表面１２２と、前記上表面１２１及び下表面１２２の後方部分にそれぞれ凸設された係合部１２３と、を有する。上表面１２１と下表面１２２との間に前チャネル１１３と後チャネル１１８とが形成されている。突出部１１は、前記前端面１２０の縁部にそれぞれ接続された上下及び左右の傾斜面１１４を有する。フェルール１には、左右の傾斜面１１４とハウジング１２の前端面１２０との間に亘る位置で開口する一対の位置決め孔１１５を有しており、前記一対の位置決め孔１１５の中の一方には、突出部１１よりも前方側に突出した位置決めピン１１６が挿入される。
【００１７】
図５、図１２及び図１３に示すように、一対の導波管２が前記フェルール１に挿入される。各導波管２は、光信号を伝送するためのインダクタ２１と、前記インダクタ２１を被覆する被覆部２２と、を有する。詳しく説明すると、導波管２は、断面形状が矩形の帯状部材であり、複数のインダクタ２１が被覆部２２の内部で幅方向に間隔をあけて並列に配設されている。また、一対の導波管２は、前記後チャンネル１１８内においては互いに重ね合わされており、前記前チャンネル内においては切り離されて二股に分かれて間に前記隔壁１１７が介在している。導波管２（被覆部２２）の前端部２２１は、断面形状が矩形であり、前チャネル１１３に収納される。インダクター２１は、フェルール１の前端面１１１において露出される。導波管２の二股に分かれた先端部分のうちの後方部分（被覆部２２の後端部２２２）は、後チャネル１１８に収納される。導波管２がフェルール１に挿入されると、被覆部２２の後端部２２２と後チャネル１１８との間には、ギャップが形成される。これに対し、被覆部２２の前端部２２１における前記被覆部２２の四つの外壁面は、前記前チャネル１１３の四つの内壁面に規制される。
【００１８】
図７〜図１１に示すように、内装体３は、フェルール１と、前記フェルール１を収納する主体部３１と、一対の係合ビーム３２と、前記主体部３１から後向きに延在する一対の係止ビーム３３と、を有する。前記内装体３１は、頂壁３１１と、底壁３１２と、一対の側壁３１３と、前端面３１４と、後端面３１５と、を備える。一対の係合ビーム３２はそれぞれ、頂壁３１１及び底壁３１２と一体に形成され、頂壁３１１及び底壁３１２から前向きに延在する。一対の係止ビーム３３はそれぞれ、一対の側壁３１３と一体に形成され、一対の側壁３１３から後向きに延在する。図２２に示すように、各係合ビーム３２は、前端部が外装体４の前端よりも前方に突出し、その前端部に、前記第１階段壁６０５或いは第２階段壁６０６と係合する一対の係合鉤３２１が設けられている。また、各係合ビーム３２には、前記一対の係合鉤３２１の間に凹溝３２２が形成されており、前記凹溝３２２の後端には突出部片３２３が設けられている。各突出部片３２３には、ガイド面３２４が設けられる。前記外装体４が内装体３に対して相対的に後向きに移動する時、ガイド面３２４が外装体４に当接する。このような係合ビーム３２は、高い弾性力を具備する。
【００１９】
図８に示すように、各係止ビーム３３には、外部シェル５と係合する鉤部３３１が設けられる。各係止ビーム３３は、半円筒状の外壁３３２と、外壁３３２に包囲され、第１バネ体７を収納するための収納溝３３３と、を有する。
【００２０】
図７及び図１７に示すように、前記外装体４は、前記内装体３を収納するための収納スペース４１と、前記収納スペース４１内に配設され、前記第１バネ体７の前端部を保持するための柱状部４２と、収容部４１の内表面に形成され、前記突出部片３２３が導入される導入溝４３と、導入溝４３の前端に配設されて導入溝４３に面する当接壁４４と、を有する。第１バネ体７が外装体４によって内装体３の内部を押圧すると、突出部片３２３が導入溝４３に導入される。図１３〜図１５に示すように、外装体４の突出部４６が突出部片３２３を押圧することで、外装体４が、内装体３から外れることを防止できる。外装体４は、内装体３に対して相対的に後向きに移動すると、第１バネ体７１が縮んで、突出部片３２３のガイド面３２４が当接壁４４に当接する。
【００２１】
図５及び図６に示すように、外装体４には、一対の側壁４５が設けられる。各側壁４５は、複数の突出リブ４５１と、複数の突出リブ４５１の間に形成される複数の凹溝４５２と、を有する。図２３〜図２５に示すように、複数のブラケット８が複数のピン８５によって子板５００に取り付けられ、導波管コネクタ１００の外本体４を保持する。各ブラケット８は、底部８１と、前記底部８１から突出する弾性ビーム８２と、を有する。一対の弾性ビーム８２の間には、導波管コネクタ１００の外装体４を収納するための収納スペース８３が形成される。各弾性ビーム８２が、外装体４の凹溝４５２に収納される。各弾性ビーム８２が、凹溝４５２の底面４５３に取り付けられる。各弾性ビーム８２が外本体４の凹溝４５２に収納される。弾性ビーム８２が外本体４に当接することによって、導波管コネクタ１００が垂直方向に沿ってブラケット８から外れることを防止する。突出リブ４５１と弾性ビーム８２によって、導波管コネクタ１００が水平方向に沿ってブラケット８から外れることを防止する。弾性ビーム８２は、樹脂材料、或いは金属材料によって、製造される。
【００２２】
外部シェル５は、頂壁５１と、底壁５２と、一対の側壁５３と、後壁５４と、前記壁５１〜５４によって包囲される収納スペース５０と、を有する。各側壁５３には、ガイド溝５３１と、前記ガイド溝５３１の後に設けられる階段部５３２と、が設けられる。
【００２３】
図１０〜図１８に示すように、樹脂材料によって製造される内部シェル６は、通路６０と、前部６１と、後部６２と、前記前部６１と後部６２の間に設けられるネック部６３と、を有する。
【００２４】
導波管コネクタ１００が取り立てる時、樹脂が後端面１１２から前記ギャップによって前チャネル１１３に流れる。図７に示すように、導波管２が前チャネル１１３に挿入され、前端面１１１を越える。被覆部２２の周囲が前チャネル１１３の側壁に包囲される。これにより、インダクター２１が正確に位置決めされる。導波管２がフェルール１に容易に装着される。導波管２が前チャネル１１３に挿入された後、熱量によって、導波管２が前チャネル１１３に固着される。導波管２が前チャネル１１３に挿入されている時、インダクター２１の末端が、前記樹脂によって破損し易く、光信号の伝送効果が弱くなる。図５に示すように、導波管２が前端面１１１に磨き、インダクター２１と被覆部２２とが、前端面１１１に露出される。
【００２５】
図９に示すように、一対の第１バネ体７が内本体３の収納溝３３３に収納される。図１５〜１８に示すように、外装体４と内装体３と間の第１バネ体７によって、外装体４が内装体３に移動する。内部シェル６が外部シェル５の収納スペース５０に挿入され、導波管２が後部６２を超える。内部シェル６のネック部６３が後壁５４と係合し、後部６２が後壁５４を超える。
【００２６】
図７、図１０及び図１５に示すように、第２バネ体９が導波管２の後端に装着される。導波管２が内部シェル６の通路６０に挿入され、導波管２が後部６２を越える。図１６及び図１７に示すように、内装体３が外部シェル５に移動可能に装着される。
【００２７】
図１に示すように、導波管２は、一対の導波管コネクタ１００と連接する。図１８及び図１９に示すように、接合体６００が回路基板４００の実装孔４０１に装入される時、一対の導波管コネクタ１００が、接合体６００に装着される。位置決めピン１１６によって、導波管コネクタ１００が他の導波管コネクタ１００の位置決め孔１１５に挿入される。前記一対のコネクタ１００のインダクター２１が精確に対応する。光信号を伝送するための導波管２が、第２バネ体９によって、前端面１１１の前に配置される。
【００２８】
導波管コネクタ１００が接合体６００の挿入溝６０３に挿入される時、突出部３２１が接合体６００の第１、第２階段壁６０５，６０６と係合する。導波管コネクタ１００を接合体６００から引き抜く時、外装体４が外力によって、接合体６００から離れる方向に沿って移動する。図１６に示すように、ガイド面３２４が外装体４の当接壁４４に当接し、係合ビーム３２が弾性変形する。係合ビーム３２と第１、第２階段壁６０５、６０６との間の係合は解除される。導波管コネクタ１００が接合体６００から離れる。第１バネ体７の弾力によって、外装体４が初めの位置まで戻る。
【００２９】
導波管コネクタ１００の導波管２の被覆部２２の四つの外壁が前記フェルールの前チャネルの四つの内壁に規制される。これにより、導波管コネクタ１００の導波管２は、フェルール１に精確に固定される。このような導波管コネクタ１００は、安価になる。
【００３０】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００３１】
１００  導波管コネクタ
１  フェルール
１１  突出部
１１１  前端面
１１２  後端面
１１３  前チャネル
１１４  傾斜面
１１５  位置決め穴
１１６  位置決めピン
１１７  隔壁
１１８  後チャネル
１２  ハウジング
１２０  前端面
１２１  上表面
１２２  下表面
１２３  係合部
２  導波管
２１  インダクター
２２  被覆部
２２１  前端
２２２  後端
２００  導波管コネクタ
３００  フレーム
３０１  頂壁
３０２  底壁
３０３  側壁
３０４  収納スペース
３０５  リブ
３０６  スロット
３０７  位置決め部
３０７１  位置決め溝
３  内装体
３１  主体部
３１１  頂壁
３１２  底壁
３１３  側壁
３１４  前端
３１５  後端
３２  係合ビーム
３２１  係合鉤
３２２  凹溝
３２３  突出部片
３２４  ガイド面
３２５  スリット
３３  係止ビーム
３３１  鉤部
３３２  外壁
３３３  収納溝
４００  回路基板
４０１  実装孔
４  外装体
４１  収納スペース
４２  柱状部
４３  導入溝
４４  当接壁
４５  側壁
４５１  突出リブ
４５２  凹溝
４５３  底面
４６  突出部
５００  子板
５  外部シェル
５０  収納スペース
５１  頂壁
５２  底壁
５３  側壁
５３１  ガイド溝
５３２  階段部
５４  後壁
６  内部シェル
６０  通路
６００  接合体
６０１  本体
６０１１  耳部
６０２  弾性片
６０２１  係合片
６０３  第１挿入溝
６０４  第２挿入溝
６０５  第１階段壁
６０６  第２階段壁
６１  前部
６２  後部
６３  ネック部
７  第１バネ体
８  ブラケット
８１  底部
８２  弾性ビーム
８３  収納スペース
８５  ピン
９  第２バネ体
【図１】
2012123386.tif 000003
【図２】
2012123386.tif 000004
【図３】
2012123386.tif 000005
【図４】
2012123386.tif 000006
【図５】
2012123386.tif 000007
【図６】
2012123386.tif 000008
【図７】
2012123386.tif 000009
【図８】
2012123386.tif 000010
【図９】
2012123386.tif 000011
【図１０】
2012123386.tif 000012
【図１１】
2012123386.tif 000013
【図１２】
2012123386.tif 000014
【図１３】
2012123386.tif 000015
【図１４】
2012123386.tif 000016
【図１５】
2012123386.tif 000017
【図１６】
2012123386.tif 000018
【図１７】
2012123386.tif 000019
【図１８】
2012123386.tif 000020
【図１９】
2012123386.tif 000021
【図２０】
2012123386.tif 000022
【図２１】
2012123386.tif 000023
【図２２】
2012123386.tif 000024
【図２３】
2012123386.tif 000025
【図２４】
2012123386.tif 000026
【図２５】
2012123386.tif 000027